(57)【特許請求の範囲】
【請求項１】
有底筒状の貯槽本体上部に架け渡した屋根骨と、該屋根骨の上部に着脱自在に配設した屋根板と、貯槽内気層部を上下に遮断して仕切る如く横断展設した気密で強靭、かつ高耐食性を備えたポリエステル繊維やガラス繊維に合成樹脂をコーティングした布膜材のシート体よりなる横隔膜とを備えた横隔膜貯槽であって、上記屋根骨下部の複数箇所に取付けた係合部と、前記横隔膜の上面の複数箇所に起立状に固定した係合具とを係合して連結し、該横隔膜は屋根板の一部を取外した開口部から手が届く位置に取付けられていることを特徴とする横隔膜貯槽。
【請求項２】
上記屋根は、貯槽本体上部に架け渡す屋根骨及び該屋根骨上部に着脱自在に配設する屋根板を、予め地上又は貯槽底壁上にて組立てるとともに、該屋根骨の下部に貯槽内気層部を上下に遮断して仕切る気密で強靭、かつ高耐食性を備えたポリエステル繊維やガラス繊維に合成樹脂をコーティングした布膜材のシート体よりなる横隔膜は地上又は貯槽底壁上にて屋根板の一部を取外した開口部から手が届く位置に取付けて形成し、該屋根を貯槽本体上部に吊り上げ架設し、上記横隔膜の周縁を貯槽本体上部へ気密に固着して形成することを特徴とする請求項１記載の横隔膜貯槽。
【発明の詳細な説明】
【０００１】
【発明の属する技術分野】
この発明は、腐食性ガスを溶存した液体を貯蔵する貯槽の気層部を上下に遮断して仕切る如く横隔膜を張設した横隔膜貯槽に関するものである。
【０００２】
【従来の技術】
腐食性ガスを溶存した液体、例えば滅菌用塩素ガスを溶存した上水道水などの液体を貯蔵する鋼製或いはコンクリート製の貯槽に、貯蔵液体上方の気層部を上下に遮断して仕切る如く横断展開させた横隔膜を張設し、該横隔膜で仕切られた上方の気層部に腐食性ガス及び蒸気が侵入しないようにして、屋根及び側壁内面が腐食されないようにした横隔膜貯槽に関する発明には、本出願人に係る特願平１１−１１３１４８号の発明がある。
【０００３】
従来技術の事例として、本出願人に係る特願平１１−１１３１４８号の横隔膜貯槽を例にして図４を参照しながら詳述する。図４のように、横隔膜貯槽は、平面円形の底壁３１と、その周縁近傍部に立設する円筒形の側壁３２と、その上部を覆う屋根骨３４と該屋根骨３４上に溶接により固定した屋根板３５とからなるドーム形状の屋根３３と、その下方気層部３７を上下に遮断して仕切る如く張設した可撓横隔膜３６とから形成されている。
このように横隔膜３６に仕切られた上方の気層部３７内には、腐食性ガス及び蒸気が侵入することなく、屋根３３及び側壁３２の内面は腐食性ガス及び蒸気によって腐食されることがないようにしている。
そして、この横隔膜貯槽の横隔膜３６は、その周縁を側壁３２内面の取付部３８に気密に固着し、その複数適所を屋根骨３４下端の支持部３９に止着係合し、横隔膜３６の自重を分散支持している。
【０００４】
また、この屋根３３の下方に展設する横隔膜３６は、屋根板３５の溶接後に、滑車及び索条などよりなる吊り具４０を用いて、貯槽内を底壁３１上から上方に吊り上げ、その適所を屋根骨３４の支持部３９に係合して吊り下げるとともに、横隔膜３６周縁を側壁３２の取付部３８に固着している。
【０００５】
【発明が解決しようとする課題】
図４に示すような従来の横隔膜貯槽においては、横隔膜３６を吊って取付ける際に、上記溶接した屋根板３５に覆われているため、暗いなかでの作業となって取付け作業がやり難かった。また、横隔膜３６を取付けた後に、屋根板３５を溶接する場合には、溶接作業時に下方の横隔膜３６を溶接火花等によって損傷するおそれがあった。
【０００６】
また、屋根３３の構築後には、横隔膜３６の上方は溶接された屋根板３５で覆われているため、横隔膜３６の点検や補修、その取付部３８や支持部３９及び吊り具４０等の点検などは困難であった。
【０００７】
この発明は、上述の従来技術が有する課題に鑑みてなされたもので、横隔膜の取付け作業がやり易く、横隔膜及びその取付部などの点検や補修が容易にできるようにした横隔膜貯槽を提供するものである。
【０００８】
【課題を解決するための手段】
この発明に係る横隔膜貯槽は、有底筒状の貯槽本体上部に架け渡した屋根骨と、該屋根骨の上部に着脱自在に配設した屋根板と、貯槽内気層部を上下に遮断して仕切る如く横断展設した気密で強靭、かつ高耐食性を備えたポリエステル繊維やガラス繊維に合成樹脂をコーティングした布膜材のシート体からなる横隔膜とを備えた横隔膜貯槽であって、上記屋根骨下部の複数箇所に取付けた係合部と、前記横隔膜の上面の複数箇所に起立状に固定した係合具とを係合して連結し、該横隔膜は屋根板の一部を取外した開口部から手が届く位置に取付けられていることを特徴とする。
【０００９】
また、この発明に係る横隔膜貯槽の上記屋根は、貯槽本体上部に架け渡す屋根骨及び該屋根骨上部に着脱自在に配設する屋根板を、予め地上又は貯槽底壁上にて組立てるとともに、該屋根骨の下部に貯槽内気層部を上下に遮断して仕切る気密で強靭、かつ高耐食性を備えたポリエステル繊維やガラス繊維に合成樹脂をコーティングした布膜材のシート体よりなる横隔膜は地上又は貯槽底壁上にて屋根板の一部を取外した開口部から手が届く位置に取付けて形成し、該屋根を貯槽本体上部に吊り上げ架設し、上記横隔膜の周縁を貯槽本体上部へ気密に固着して形成することを特徴とする。
【００１０】
【発明の実施の形態】
図１乃至図３に基づいて、この発明に係る横隔膜貯槽の実施形態例について説明する。
【００１１】
図１（ａ），（ｂ）に示す横隔膜貯槽は、側壁２を鋼板で形成した貯槽であり、また図２に示す横隔膜貯槽は、側壁２をコンクリート構造体で形成した貯槽である。貯槽本体１は、薄板鋼板を配列し溶接結合した円形平板材、或いはコンクリート構造の円形平版よりなる底壁（図示せず）と、この底壁の外周縁近傍部に立設した円筒状の側壁２とで形成する。
この側壁２の上部に、成形材を用いて放射状或いは格子状などに架け渡した屋根骨４と、この屋根骨４の上面に、平板材などを用いて着脱自在に配設した屋根板５と、貯槽本体１内の気層部７を上下に遮断して仕切る如く横断展設した横隔膜６とから屋根３を形成する。
【００１２】
図１（ａ），（ｂ）に示すように、側壁２を鋼板で形成した場合には、鋼製側壁２の上端縁１０の近傍に設けたブラケット及び固定具などを介して、成形材よりなるアーチ状の屋根骨４の端縁を保持し、この屋根骨４の上面に屋根板５をボルト締め等により着脱自在に配設する。
また、図２に示すように、側壁２をコンクリート構造に形成した場合には、コンクリート製側壁２の水平な上端面１４にアンカーボルト及びナットなどを用いて固定した固定具を設け、この固定具にアーチ状の屋根骨４の端縁を保持し、この屋根骨４の上面に屋根板５をボルト締め等により着脱自在に配設する。
【００１３】
上記屋根骨４上面へボルト締め等によって着脱自在に配設する屋根板５の取付け事例について、図１（ｂ）及び図２に基づいて詳細に説明する。
図１（ｂ）に示す事例は、屋根骨４の上面に屋根骨４に沿って並行二列に、屋根板５の端縁を螺着固定する複数の取付孔１８，１８を設け、この取付孔１８，１８に、屋根板５，５の端縁に設けた貫通孔を合致させて螺着固定する構造である。このように屋根板５端縁を屋根骨４上面に螺着固定する構造は、屋根板５端縁の貫通孔を長孔にするなどして、組立て時に仮止め調整をし易くすることができる。
また、図２に示す事例は、屋根骨４の上面に屋根骨４に沿って、屋根板５の屈曲形成した端縁を差し込む二本の並行な溝１９，１９を設け、この溝１９，１９内に屋根板５，５の屈曲端縁を差込み固定する構造である。このように屋根板５の屈曲端縁を屋根骨４上面に差込み固定する構造は、屋根板５に薄板材を使用した場合などに、板金加工やプレスによって容易に屈曲形成することができ、また屋根板５の周縁を屋根骨４上面に密着させ易くなり、上方から溝１９，１９内に押込んで配設する作業も容易となる。
【００１４】
さらに、屋根骨４の上面には、上記並行二列の取付孔１８，１８の中間、或いは上記並行二本の溝１９，１９の中間に、間隔をおいて複数の深い雌ネジ２０を切っておく。
そして、この屋根骨４の上面に、隣接する屋根板５，５の端縁を対向させて載置し、上記図１（ｂ）のようにその周縁を取付孔１８，１８に螺着固定、或いは上記図２のようにその周縁を溝１９，１９内に差込み固定した後に、合成ゴムなどの帯状シーリング材を設け（図示省略）、さらにその上部を跨ぎ覆うように孔明きの幅広帯状の抑え部材２１を被せ、抑え部材２１の孔と上記雌ネジ２０とを合致させ、抑え部材２１の孔の上部から押込ボルト２２を雌ネジ２０に螺合して気密に緊締する。
【００１５】
横隔膜６の鋼製側壁２への取付け構造を、図１（ｂ）の拡大断面図に基づいて説明する。高耐食鋼で断面Ｌ字状に形成したリング状の取付ガーダ１１を用いて、このＬ字状の水平な一方端を側壁２の上部内周面に固着し、そのＬ字状の垂直な他方側部には、孔を明け横隔膜６結合用のボルトを挿通し、そのボルトの頭部は溶接により取付ガーダ１１に固着しておく。このボルトに横隔膜６の周縁部に設けた孔を挿通し、横隔膜６の周縁部に必要に応じて気密結合用のパッキン、ペースト等を設け、ボルトに孔明きの抑え板の孔を挿通し、突出したボルトにナットを螺合し緊締した抑え板によって、横隔膜６を側壁２の取付ガーダ１１の取付部８に気密に取付ける。
また、横隔膜６のコンクリート製側壁２上端面への取付け構造を、図２の事例に基づいて説明する。側壁２の水平な上端面１４、屋根骨４の固定具より内側の位置に、予め所定間隔をおいてアンカーボルトを植設しておき、このアンカーボルトに挿通する合成ゴムなどの帯状シーリング材を設け、その上に、横隔膜６の周縁部に設けた孔を挿通して横隔膜６の周縁部を重ね合わせる。この合わせ部には、必要に応じて気密結合用のパッキン、ペースト等を介装して孔明きの抑え板を被せた後、この孔から突出したアンカーボルトにナットを螺合し緊締することによって、横隔膜６を側壁２の上端面１４の取付部８に気密に固定する。
【００１６】
また、横隔膜６の上面の複数箇所には、例えば、帯布、タブ、紐等を用いて環状部を有する固着片１２を固着しておく。さらに、屋根骨４の下部の複数箇所には、例えば、リング、孔を有する金具などの係合部９を設けておく。そして、この固着片１２の環状部と、屋根骨４下部の係合部９との間に、フックや索条などの係合具１３を係合して連結し、横隔膜６の自重を保持するように形成する。
【００１７】
上記横隔膜６の取付部８への取付け作業は、着脱自在な屋根板５を取付けていない外周方向にわたる環状部箇所の開口部２３Ａを利用して、屋根外面より上記横隔膜６の周縁を取付部８に取付けて緊締し、横隔膜６の取付け終了後に屋根板５を被覆しボルト締め等で固定し開口部２３Ａを閉塞する。また、横隔膜６の固着片１２と屋根骨４下部の係合部９との緊締調整も、着脱自在な屋根板５を取付けていない上記環状部より貯槽中央側に位置する開口部２３Ｂを利用して行うことができる。
さらに、屋根３の構築後には、ボルト締め等によって着脱自在となっている屋根板５の一部を取外し、その開口部２３を利用して、横隔膜６本体及びその周縁の取付部８、係合部９などの点検、補修などのメンテナンスを行うことが可能となる。
上記開口部２３を利用する取付け、点検などの作業は、明るい場所での作業となり、屋根３の上から容易に手が届くため、足場を別途設ける必要はなく、作業がやり易く安全で、工期の短縮を図ることが可能となる。
【００１８】
図３は、この発明に係る横隔膜貯槽の屋根３を、予め地上又は貯槽底壁上にて組立てる事例を示す。貯槽本体上部に架け渡す屋根骨４、及びこの屋根骨４上部に着脱自在に配設する屋根板５を、予め地上又は貯槽底壁上にて組立てるとともに、貯槽内気層部を上下に遮断して仕切る横隔膜６を、地上又は貯槽底壁上にて屋根骨４の下部に取付けて屋根３を構築し、この屋根３を吊り上げて貯槽本体上部へ架設する。
【００１９】
図３に示すように、屋根骨４は、鋼材、アルミニウム合金材、或いはステンレス鋼材などよりなるアングル材やチャンネル材等の成形材やパイプ材などを使用し、例えば略三角形状に連結して立体に枠組する。なお、屋根骨４の周囲先端には、屋根３を貯槽本体上部に取付けるための取付部材２４を延出しておく。
また、屋根板５は、鋼材、アルミニウム合金材、或いはステンレス鋼材などよりなる平板材、薄板周縁を屈曲した板材、或いは薄板周縁に枠を設けたパネル体などの屋根板１５に形成し、上記屋根骨４の上面にボルト等の螺着締付けによって着脱自在に配設する。また横隔膜６は、上記組立てた屋根骨４の下部複数箇所の係合部９に、例えばフック、索条、或いはボルト・ナットなどの係合部材１６を用いて取付ける。
【００２０】
上記屋根３を貯槽近傍の地上にて組立てる場合は、図３に示すように取付部材２４の屋根骨４を外側に延出しておく。そして、複数の吊り索条１７を使用し、以下図示省略するが、クレーンなどによって平均に吊り上げ、貯槽本体上部まで移動し覆い被せるように載置し、側壁上端の固定具に取付部材を固定保持する。また、上記屋根３を貯槽内の底壁上にて組立てる場合には、以下図示省略するが、例えば取付部材を延出することなく屋根の直径を小さく形成しておき、貯槽本体内を吊り上げて上部に移動した後、屋根骨周縁と側壁上端の固定具との間を取付部材で接続固定する。
次いで、この屋根外周に形成される環状開口部を利用して、横隔膜周縁を側壁上端部に気密に固着し、その環状開口部を閉塞する屋根板を、上記取付部材などの上面に取付ける。
このように、予め地上又は貯槽底壁上にて形成する屋根３は、地上又は底壁上の低位置での安全作業で能率良く構築し、貯槽本体上部に容易に架設することができる。
【００２１】
なお、図３に示す事例は、成形材を略三角形状に組枠して屋根骨４を立体形成した場合を示すが、放射状と略同心円状、或いは格子状等に組枠して、球形、円錐形、或いは多角形枠体よりなる立体形状に組立ててもよい。
また、屋根板５についても、略三角形状、多角形状、或いは略扇形状などの平板、波板、或いは周縁を屈曲した板材等を使用してもよい。
このように、放射状などの形状に屋根骨４を組枠し、所定形状の屋根板５を配設することによって、頑強で大きなドーム形状等の屋根３に適した構造にすることができる。
【００２２】
また、図３に示す屋根３の構成部材として、例えば、アルミニウム合金材などの軽量な屋根骨４及び屋根板１５を使用し、地上又は貯槽底壁上にて組立てるアルミ製ドームに形成し、このアルミ製ドームに上記横隔膜６を取付ける場合には、地上又は貯槽底壁上にて簡単容易に取付作業ができる。そして、貯槽の屋根３として軽量であって、アルミ材は耐候性を有し、横隔膜６は耐食性を有するので、経済性に優れた横隔膜付きアルミ製ドーム屋根とすることができる。
【００２３】
また、一般的にアルミニウム合金材は耐食性に富んだ材料とされているが、孔食等を防止し腐食に対する安全性をさらに向上させるエポキシ樹脂塗装などが施工されることがある。このような場合、アルミニウム合金材はその表面に塗料が付着し難く、下地処理が必要となり、塗装費用が高額となり、また、塗装面は塗膜の劣化や剥離などを生ずるため、長期間にわたる塗装の耐久性能は望めなかった。そこで、上記のようにアルミ製ドームの下部に横隔膜６を取付けることによって、防食塗装の必要がなくなり、強靭で高耐食性を備えたシート材よりなる横隔膜６は、長期間の耐久性能を有する上に、安価に製作し簡単に取付けることができるので、より耐食性及び耐久性を有する経済性に優れた屋根３となる。
【００２４】
また、横隔膜６としては、気密で強靭、かつ高耐食性を備えた可撓性を有するシート体、例えば金属製のシート体、或いは塩化ビニール樹脂等の合成樹脂材で形成した膜材、若しくはポリエステル繊維やガラス繊維等の繊維に塩化ビニール樹脂等の合成樹脂をコーティングした布膜材のシート体などを用いる。
【００２５】
なお、上記使用する横隔膜６を、透光する膜材、例えば透明ビニールシート、透明ポリエチレンシートなどで形成すると、屋根板５を配設する前には、貯槽本体内部に太陽光を透光して明るいので、貯槽内での構築作業がやり易く、また、貯槽構築後の点検作業時には、屋根板５を取外すと貯槽本体内部に太陽光を透光して明るくなるので、上方から貯槽内部を観察することも可能となる。
【００２６】
また、図１乃至図３に示す実施形態例は、屋根形状が平面円形のドーム形状の事例を示したが、略円錐形状や平板形状をした屋根、或いは角筒状側壁に設ける各種形状の屋根を有する横隔膜貯槽においても、上記と同様に着脱自在な屋根板を配設し横隔膜を取付けることによって、構築が簡単容易で、耐食性を有する経済的な屋根となる。
【００２７】
【発明の効果】
叙述の説明で明らかなように、この発明に係る横隔膜貯槽は、有底筒状の貯槽本体上部に架け渡した屋根骨と、該屋根骨の上部に着脱自在に配設した屋根板と、貯槽内気層部を上下に遮断して仕切る如く横断展設した気密で強靭、かつ高耐食性を備えたポリエステル繊維やガラス繊維に合成樹脂をコーティングした布膜材のシート体からなる横隔膜とを備えた横隔膜貯槽であって、上記屋根骨下部の複数箇所に取付けた係合部と、前記横隔膜の上面の複数箇所に起立状に固定した係合具とを係合して連結し、該横隔膜は屋根板の一部を取外した開口部から手が届く位置に取付けられているので、屋根板の一部を簡単に取外した状態で横隔膜の取付けができるため、明るい場所で取付作業がやり易く工期短縮が図れる。また、屋根板の溶接作業がないので、横隔膜を溶接火花等によって損傷する心配もない。
【００２８】
また、ボルト締め等によって着脱自在となっている屋根板の一部を簡単に取外し、その開口部を利用して横隔膜の点検ができ、かつ横隔膜周縁の取付部や屋根骨への支持部及び吊り具の点検や補修などが容易にできる。すなわち、屋根の構築後には、着脱自在となっている屋根板の一部を取外し、その開口部を利用して、横隔膜本体及びその周縁の取付部、係合部などの点検、補修などのメンテナンスを行うことが可能となる。上記開口部を利用する取付け、点検などの作業は、明るい場所での作業となり、屋根の上から容易に手が届くため、足場を別途設ける必要はなく、作業がやり易く安全で、工期の短縮を図ることが可能となる。
【００２９】
また、貯槽本体上部に架け渡す屋根骨及び該屋根骨上部に着脱自在に配設する屋根板を予め地上又は貯槽底壁上にて組立てるとともに、該屋根骨の下部に貯槽内気層部を上下に遮断して仕切る気密で強靭、かつ高耐食性を備えたポリエステル繊維やガラス繊維に合成樹脂をコーティングした布膜材のシート体よりなる横隔膜は地上又は貯槽底壁上にて屋根板の一部を取外した開口部から手が届く位置に取付けて形成し、該屋根を貯槽本体上部に吊り上げ架設し、上記横隔膜の周縁を貯槽本体上部へ気密に固着して形成する横隔膜貯槽の屋根にあっては、簡単容易に作業能率良く組立て、地上又は貯槽底壁上の低位置での安全作業で屋根を構築することができ、屋根の架設作業及び横隔膜の固着作業並びに点検や補修などの作業も容易となる。
【００３０】
【図面の簡単な説明】
【図１】  この発明に係る横隔膜貯槽の実施形態例で、（ａ）は一部を欠除し断面とした斜視説明図、（ｂ）はその断面部を拡大して示す説明図である。
【図２】  この発明に係る横隔膜貯槽の他の実施形態例を示す一部を欠除した側断面説明図である。
【図３】  この発明に係る横隔膜貯槽の屋根を、地上又は貯槽底壁上にて組立てる場合の一例を示す一部を欠除した斜視説明図である。
【図４】  従来の横隔膜貯槽の一事例を示す側断面説明図である。
【符号の説明】
１  貯槽本体                ２  側壁                  ３  屋根
４  屋根骨                  ５  屋根板                ６  横隔膜
７  気層部                  ８  取付部                ９  係合部
１０  上端縁              １１  取付ガーダ          １２  固着片
１３  係合具              １４  上端面              １５  屋根板
１６  係合部材            １７  吊り索条            １８  取付孔
１９  溝                  ２０  雌ネジ              ２１  抑え部材
２２  押込ボルト          ２３，２３Ａ，２３Ｂ  開口部
２４  取付部材
３１  底壁                ３２  側壁                ３３  屋根
３４  屋根骨              ３５  屋根板              ３６  横隔膜
３７  気層部              ３８  取付部              ３９  支持部
４０  吊り具
【図１】
0004486736.tif 000002
【図２】
0004486736.tif 000003
【図３】
0004486736.tif 000004
【図４】
0004486736.tif 000005